【手続補正書】
【提出日】平成21年6月11日(2009.6.11)
【手続補正１】
【補正対象書類名】明細書
【補正対象項目名】発明の名称
【補正方法】変更
【補正の内容】
【発明の名称】ヘルメット用多機能ユニット
【手続補正２】
【補正対象書類名】明細書
【補正対象項目名】０００１
【補正方法】変更
【補正の内容】
【０００１】  本発明は、ヘルメットに簡単に装脱着可能で、装着時に容易に撮影が可能な多機能ユニットに関するものである。
【手続補正３】
【補正対象書類名】明細書
【補正対象項目名】００１０
【補正方法】変更
【補正の内容】
【００１０】本発明者等は、ヘルメット本体の少なくとも前頭部の一部に、前記ヘルメットの表裏を透視できる窓部を有するヘルメットが上記課題の解決に有用であることを見出した。前記ヘルメットは、ヘルメット本体の前頭部から二つの横部にかけて、前記ヘルメット本体の周端から特定の距離をおいて、上方から見たときＵ字型になるような溝部を設け、前記前頭部の少なくとも前記溝部の下側に前記ヘルメット裏側を透視できる透明窓部を有するヘルメットが好ましく、前記ヘルメットは、前記前頭部から延設された鍔部を有し、前記透明窓が前記鍔部にも延設されているヘルメットが更に好ましく、前記ヘルメット本体の前記溝部に係合する平面Ｕ字型のユニットとの係合を確実にする係合手段を少なくとも前記ヘルメット本体の前記横部と前記ユニットの前記横部に係合する対応部とに有するヘルメットが好ましく用いられることを見出した。
【手続補正４】
【補正対象書類名】明細書
【補正対象項目名】００１１
【補正方法】変更
【補正の内容】
【００１１】また、前記ユニットは、メモリー手段を着脱自在にする着脱口を前記ヘルメットの前記横部に係合する前記ユニットの部分の底部に有していて、前記部分の底部に少なくとも二つの外部端子も有し、前記外部端子および前記着脱口に電気部品の着脱を可能にするスペースをヘルメット本体に設けるとともに、前記底面に対応する部分のヘルメット本体に封鎖部を有するヘルメットを用いることが望ましい。
【手続補正５】
【補正対象書類名】明細書
【補正対象項目名】００１２
【補正方法】変更
【補正の内容】
【００１２】前記鍔部先端付近にスポーツファインダーを着脱自在に装着する装着部と有し、前記スポーツファインダーは、前記ユニットが前記前頭部対応位置にカメラを有し前方を撮影可能なときに撮影範囲を示すものであるヘルメット、および、前記スポーツファインダーは、折りたたみ可能であるヘルメットが好ましく用いられることを本発明者等は見出した。
【手続補正６】
【補正対象書類名】明細書
【補正対象項目名】００１３
【補正方法】変更
【補正の内容】
【００１３】本発明者等は、このようなヘルメットを用い、前記溝部に係合する多機能ユニットを装着した多機能ユニット付ヘルメットは、好ましく用いられ、ヘルメット本体の前頭部から二つの横部にかけて、前記ヘルメット本体の周端から特定の距離をおいて、上方から見たときＵ字型になるような溝部を設け、前記前頭部の少なくとも前記溝部の下側に前記ヘルメット裏側を透視できる透明窓部を有し、前記ヘルメットは前記前頭部から延設された鍔部を有していて、前記透明窓が前記鍔部にも延設されているヘルメットの前記溝部に係合させた場合に、前記ヘルメット本体の外面から大きく突出しないで前記溝部に係合する平面Ｕ字型のユニットであって、前記溝部と前記ユニットの係合を確実にする係合手段を少なくとも前記ヘルメット本体の前記横部と前記ユニットの前記横部に係合する対応部とに有する多機能ユニットがこれらヘルメットに好ましく用いられることを見出した。
【手続補正７】
【補正対象書類名】明細書
【補正対象項目名】００１４
【補正方法】変更
【補正の内容】
【００１４】前記ユニットは、中空であり、前記中空部に少なくとも電気配線を有し、前記ユニットの前記前頭部に係合する部分に前記前頭部前方を撮影するためのカメラを有し、前記カメラからの信号を前記電気配線で前記横部に係合する前記ユニットの部分の少なくとも一方に設けられた出力端子に供給されるように構成し、前記中空部に外部からの電波を受信するための受信回路を収納し、前記受信回路からの出力を前記ユニット外に取り出せるアウトプット端子を前記横部に係合する前記ユニットの部分の少なくとも一方に設けた多機能ユニットが好ましい例である。
【手続補正８】
【補正対象書類名】明細書
【補正対象項目名】００１５
【補正方法】変更
【補正の内容】
【００１５】前記出力が音声出力であり、前記中空部に、送信回路を配設し、前記ユニットの前記カメラの近傍に、マイクロフォンを有する多機能ユニットも好ましい例である。
【手続補正９】
【補正対象書類名】明細書
【補正対象項目名】００１６
【補正方法】変更
【補正の内容】
【００１６】前記中空部に、前記カメラ、前記受信回路および／または前記送信回路を駆動する電源を有し、前記電気配線でそれぞれに電気的に接続され、前記中空部に、前記カメラおよび／または前記マイクロフォンからの出力を記録するための記録回路を有し、そして、前記ヘルメット本体の前記横部の少なくとも一方に前記カメラで撮影された画像情報と前記マイクロフォンで採音された音声入力とを記録するための外部の記録装置に出力するための録画・録音端子を有する多機能ユニットも好ましく用いられる。
【手続補正１０】
【補正対象書類名】明細書
【補正対象項目名】００１７
【補正方法】変更
【補正の内容】
【００１７】また、前記カメラおよび／または前記マイクロフォンからの出力を記録するメモリーを着脱自在にする着脱口を有し、前記電源が充電可能な電源であって、前記電源に電気的に接続された充電のための充電端子を、前記電源を有する前記横部に係合する前記ユニットの部分に有し、そして、前記ユニットの前記カメラ近傍で、前頭部前方方向の表面に撮影対象物を示すレーザービームポインターを有し、前記表面および／または底面に撮影状態を表示するＬＥＤランプを有する多機能ユニットも好ましい例である。
【手続補正１１】
【補正対象書類名】明細書
【補正対象項目名】００１８
【補正方法】変更
【補正の内容】
【００１８】前記ユニットは、左右の重量バランスがほぼ取れているように構成されたものが好ましく、前記ユニットは、前頭部に係合する部分が、前記横部のいずれよりも軽く構成されたものである多機能ユニットが好ましい。
【手続補正１２】
【補正対象書類名】明細書
【補正対象項目名】００１９
【補正方法】変更
【補正の内容】
【００１９】少なくとも前記ユニットの前記前頭部に係合する部分の底面で、前記カメラの近傍に電源のオン・オフを表示するＬＥＤと、前記ＬＥＤと同一あるいは異なり、前記カメラの撮影状態を表示するＬＥＤを配設し、前記ヘルメットの装着者が前記透明窓を通して前記表示を見られるように構成した多機能ユニット、また、前記鍔部先端付近にスポーツファインダーを着脱自在に装着する装着部を有し、前記スポーツファインダーは、前記ユニットの前記カメラの撮影範囲を示すものである多機能ユニット、そして、前記スポーツファインダーが、折りたたみ可能である多機能ユニットも好ましい。
【手続補正１３】
【補正対象書類名】明細書
【補正対象項目名】００２０
【補正方法】変更
【補正の内容】
【００２０】本発明は、前記の特徴を必要に応じて有しながら、請求項１に記載したように、ヘルメット本体の前頭部から二つの横部にかけ、上方から見たときＵ字型になるような溝部を有するヘルメットの前記溝部に係合するＵ字型ユニットであって、前記溝と前記ユニットの係合を確実にする係合手段を有し、前記ユニットは、中空であり、前記中空部に少なくとも電気配線を有し、前記ユニットの前記前頭部に対応する部分に前記前頭部前方を撮影するためのカメラを有し、前記カメラからの信号は前記電気配線で送信回路および／または記録回路に接続されるように構成されたヘルメット用多機能ユニットに関するものである。
【手続補正１４】
【補正対象書類名】明細書
【補正対象項目名】００２１
【補正方法】変更
【補正の内容】
【００２１】請求項２で、前記ユニットは、前記中空部に、前記カメラ、前記送信回路および／または前記記録回路を駆動する電源を有し、前記電気配線でそれぞれに電気的に接続されている請求項１に記載のヘルメット用多機能ユニットを開示した。
【手続補正１５】
【補正対象書類名】明細書
【補正対象項目名】００２２
【補正方法】変更
【補正の内容】
【００２２】請求項３において、前記電源は、取り外し可能であって、前記ユニット外から取替え可能であって、前記電源に代えて、外部電源からの電源供給を可能にする電源端子を、前記ヘルメット本体の前記横部に係合する前記ユニットの部分に設けた請求項２に記載のヘルメット用多機能ユニット、請求項４で、前記電源が充電可能な電源であって、前記ヘルメット本体の前記横部に係合する前記ユニットの部分に、前記電源に電気的に接続された充電端子を有する請求項２又は３に記載のヘルメット用多機能ユニットが記載されている。
【手続補正１６】
【補正対象書類名】明細書
【補正対象項目名】００２３
【補正方法】変更
【補正の内容】
【００２３】請求項５で、前記ユニットのカメラ近傍で、カメラの撮影窓側の表面に撮影対象物をポイントするレーザーポインタを配設し、前記表面および／または底部に撮影状態を表示するＬＥＤランプを設けた請求項１乃至４のいずれかに記載のヘルメット用多機能ユニット、請求項６で、前記カメラ近傍にマイクロフォンを有し、音声出力が前記送信回路および／または前記記録回路に電気的に接続されている請求項５に記載のヘルメット用多機能ユニット、そして、請求項７において、前記送信回路および／または前記記録回路から外部メモリーに接続するための前記外部メモリーを受け入れる着脱口を、前記横部に係合する前記ユニットの部分に設けた請求項６に記載のヘルメット用多機能ユニットが開示されている。
【手続補正１７】
【補正対象書類名】明細書
【補正対象項目名】００２４
【補正方法】変更
【補正の内容】
【００２４】請求項８では、前記空間に、外部からの電波を受信する受信回路を有し、前記受信回路および／または前記送信回路または前記記録回路からの音声出力を外部に伝える音声端子を有する請求項７に記載のヘルメット用多機能ユニット、請求項９で、前記横部に係合する前記ユニットの部分の底面に、少なくとも前記着脱口、前記充電端子および前記音声端子を有する請求項８に記載のヘルメット用多機能ユニットを記載した。
【手続補正１８】
【補正対象書類名】明細書
【補正対象項目名】００２５
【補正方法】変更
【補正の内容】
【００２５】請求項１０において、前記制御スイッチを一定時間以下の場合は、スチールカメラとして前記カメラを作動させ、前記一定時間以上の場合は、ムービーカメラとして前記カメラを作動させる請求項９に記載のヘルメット用多機能ユニット、請求項１１で、前記電源のオン・オフを含み前記カメラの作動状況を前記ＬＥＤランプの点灯、点滅および／または色で表示するように構成した請求項１０に記載のヘルメット用多機能ユニットが好ましいものとして開示されている。
【手続補正１９】
【補正対象書類名】明細書
【補正対象項目名】００３１
【補正方法】変更
【補正の内容】
【００３１】
【図１】本発明に係る多機能ユニットを着脱するためのヘルメットの一例の左斜視概念図である。
【図２】図１のヘルメットの右斜視概念図である。
【図３】本発明の１実施例に係る多機能ユニットの斜視概念図である。
【図４】図３の多機能ユニットを底面からみた概念図である。
【図５】図１のヘルメットに図３の多機能ユニットを装着したときの正面概念図である。
【図６】図５の多機能ユニット付ヘルメットの左側面図である。
【手続補正２０】
【補正対象書類名】明細書
【補正対象項目名】００３２
【補正方法】変更
【補正の内容】
【００３２】  以下、本発明を更に具体的に説明する。まず、本発明の前記ユニットを着脱するヘルメットとして好ましい一例は、本体を通常のヘルメット素材で構成し、前記窓部分を空間とするか、好ましくは、部分的に透明体で構成することもできるが、透明体で構成する場合には、例えば、前記ヘルメット本体全体を、前記窓部分を除き、鍔部分を含めて構成し、後に透明樹脂をはめ込む形で構成することもできる。例えば、一般的に用いられるポリカーボネート樹脂でヘルメットを成形するときに、前記透明体の部分をアクリル樹脂でインサート成形することにより、形成できる。勿論、前記ヘルメット本体を形成するときに、前記溝部が形成されるような金型を用いる。前記溝部は、前記ヘルメット本体の周端から一定の距離以上離れるように構成することが電気的な安全上大切である。
【手続補正２１】
【補正対象書類名】明細書
【補正対象項目名】００５９
【補正方法】変更
【補正の内容】
【００５９】  図１は、本発明の１実施例に係るヘルメット用多機能ユニットとこれを着脱するヘルメットの一例の左斜視概念図である。また、図２は、図１のヘルメットの右斜視概念図である。１は、ポリカーボネート樹脂で成型されたヘルメットで、溝部２が形成されている。前記溝部は、上方で深さがなく、下方で深さを有するように形成されている。前記溝部の下方は、ヘルメットの周端から３センチメートル以上離して構成している。前記ヘルメットの前頭部に鍔部３  を有し、前記前頭部の溝部２の底面に透明窓４が形成されている。前記透明部は、溝部２から鍔部３に延設されている。
【手続補正２２】
【補正対象書類名】明細書
【補正対象項目名】００６２
【補正方法】変更
【補正の内容】
【００６２】  図３は、図１および２のヘルメット１の溝部２に係合する本発明の多機能ユニットの１実施例の右斜視概念図であり、図４は、前記実施例の底面から見た概念図である。２１は、前記ポリカーボネート樹脂で成型された多機能ユニット本体で、前記係合手段として凸部２２が設けられていて、図１および２の凹部に係合し、ユニット本体は、図１および２の溝部２にしっかりと係合するような形状になっている。
【手続補正２３】
【補正対象書類名】特許請求の範囲
【補正対象項目名】全文
【補正方法】変更
【補正の内容】
【特許請求の範囲】
【請求項１】
ヘルメット本体の前頭部から二つの横部にかけ、上方から見たときＵ字型になるような溝部を有するヘルメットの前記溝部に係合するＵ字型ユニットであって、前記溝と前記ユニットの係合を確実にする係合手段を有し、前記ユニットは、中空であり、前記中空部に少なくとも電気配線を有し、前記ユニットの前記前頭部に対応する部分に前記前頭部前方を撮影するためのカメラを有し、前記カメラからの信号は前記電気配線で送信回路および／または記録回路に接続されるように構成されたことを特徴とするヘルメット用多機能ユニット。
【請求項２】
前記中空部に、前記カメラ、前記送信回路および／または前記記録回路を駆動する電源を有し、前記電気配線で前記各回路に電気的に接続されていることを特徴とする請求項１に記載のヘルメット用多機能ユニット。
【請求項３】
前記電源は、取り外し可能であって、前記ユニット外から取替え可能であって、前記電源に代えて、外部電源からの電源供給を可能にする電源端子を、前記ヘルメット本体の前記横部に係合する前記ユニットの部分に設けたことを特徴とする請求項２に記載のヘルメット用多機能ユニット。
【請求項４】
前記電源が充電可能な電源であって、前記ヘルメット本体の前記横部に係合する前記ユニットの部分に、前記電源に電気的に接続された充電端子を有することを特徴とする請求項２または３に記載のヘルメット用多機能ユニット。
【請求項５】
前記ユニットのカメラ近傍で、カメラの撮影窓側の表面に撮影対象物をポイントするレーザーポインタを配設し、前記表面および／または底部に撮影状態を表示するＬＥＤランプを設けたことを特徴とする請求項１乃至４のいずれかに記載のヘルメット用多機能ユニット。
【請求項６】
前記カメラ近傍にマイクロフォンを有し、音声出力が前記送信回路および／または前記記録回路に電気的に接続されていることを特徴とする請求項５に記載のヘルメット用多機能ユニット。
【請求項７】
前記送信回路および／または前記記録回路から外部メモリーに接続するための前記外部メモリーを受け入れる着脱口を、前記横部に係合する前記ユニットの部分に設けたことを特徴とする請求項６に記載のヘルメット用多機能ユニット。
【請求項８】
前記中空部に、外部からの電波を受信する受信回路を有し、前記受信回路および／または前記送信回路または前記記録回路からの音声出力を外部に伝える音声端子を有することを特徴とする請求項７に記載のヘルメット用多機能ユニット。
【請求項９】
前記横部に係合する前記ユニットの部分の底面に、少なくとも前記着脱口、前記充電端子および前記音声端子を有することを特徴とする請求項８に記載のヘルメット用多機能ユニット。
【請求項１０】
カメラの動作を制御する制御スイッチを一定時間以下で作動させた場合は、スチールカメラとして前記カメラを作動させ、前記一定時間以上の場合は、ムービーカメラとして前記カメラを作動させることを特徴とする請求項９に記載のヘルメット用多機能ユニット。
【請求項１１】
前記電源のオン・オフを含み前記カメラの作動状況を前記ＬＥＤランプの点灯、点滅および／または色で表示するように構成したことを特徴とする請求項１０記載のヘルメット用多機能ユニット。